(57)【特許請求の範囲】
【請求項１】
筐体内に設けられた調理室と、
前記調理室内の上方に設けられた上方加熱手段と、
前記調理室内に被加熱物を出し入れするための調理室扉と、
前記調理室内へ出入自在に配置される受皿と、
前記受皿の上方に設けられ、被加熱物を載置するための調理台と、
前記調理室に設けられた吸込口及び吹出口と、
前記調理室内の空気を前記吸込口から吸引し、前記吸込口から吸引した空気を前記吹出口から吹き出させる送風手段と
を備え、
前記受皿は、内部に通風可能な空間が設けられ、
前記調理室の前記吹出口と着脱自在に接続され前記吹出口からの空気を内部に流入させる流入口と、
上面に形成された複数の流出口とを有し、
前記流出口は、前記調理台と対向する開口であって、前記開口の縁が上方に突出した凸形状に形成され、前記流入口から流入した空気を上方へ吹き出す
ことを特徴とする加熱調理器。
【請求項２】
前記受皿は、
前記流入口から遠い位置に形成された前記流出口の開口面積が、前記流入口に近い位置に形成された前記流出口の開口面積より大きい、または、前記流入口から遠い領域に形成された前記流出口の開口率が、前記流入口に近い領域に形成された前記流出口の開口率より高い
ことを特徴とする請求項１記載の加熱調理器。
【請求項３】
前記受皿の底面は、前記流入口に近い側よりも遠い側が高くなるよう形成され、
前記受皿の上面との間の空間が、前記流入口に近い側よりも遠い側で狭くなる
ことを特徴とする請求項１または２記載の加熱調理器。
【請求項４】
前記受皿の上面は、前記流入口に近い側よりも遠い側が低くなるよう形成され、
前記受皿の底面との間の空間が、前記流入口に近い側よりも遠い側で狭くなる
ことを特徴とする請求項１〜３の何れか一項に記載の加熱調理器。
【請求項５】
前記調理室扉と接続され、前記受皿を前記調理室外に引き出し可能に支持するスライドレールを備え、
前記受皿は、前記スライドレールを介して前記調理室扉と一体的に移動して、
前記調理室扉が開いた状態において、前記受皿の少なくとも一部は前記調理室外へ引き出され、
前記調理室扉が閉じた状態において、前記受皿の前記流入口は前記調理室の前記吹出口と通風可能に接続される
ことを特徴とする請求項１〜４の何れか一項に記載の加熱調理器。
【請求項６】
前記受皿は、
前記流入口が前記調理室の前記吹出口に向かう方向に、磁力によって付勢された
ことを特徴とする請求項１〜５の何れか一項に記載の加熱調理器。
【請求項７】
前記受皿は、
分離可能な複数の部品から構成され、組立時に前記複数の部品が概気密に接合される
ことを特徴とする請求項１〜６の何れか一項に記載の加熱調理器。
【請求項８】
前記受皿の底面は貯水可能な窪みを有し、該窪みに貯水された水が前記流入口からの気流の接触により蒸発し、過熱水蒸気調理を行う
ことを特徴とする請求項１〜７の何れか一項に記載の加熱調理器。
【請求項９】
前記調理室内の空気を流入させる開口部が設けられ、該開口部から前記吸込口へと至る風路を形成する吸込口体を備え、
前記吸込口体の開口部は、前記調理室の中央より上に配置した
ことを特徴とする請求項１〜８の何れか一項に記載の加熱調理器。
【請求項１０】
前記調理室内の空気を流入させる開口部が設けられ、該開口部から前記吸込口へと至る風路を形成する吸込口体を備え、
前記吸込口体の開口部の少なくとも一部は、前記調理室の高さ方向の投影形状が、前記上方加熱手段の高さ方向の投影形状と重なるように形成され、
前記吸込口体の開口部は、前記上方加熱手段の近傍に配置した
ことを特徴とする請求項１〜８の何れか一項に記載の加熱調理器。
【請求項１１】
前記吸込口体の内部であって、前記上方加熱手段の輻射が届く位置に第一触媒体を設けた
ことを特徴とする請求項９または１０記載の加熱調理器。
【請求項１２】
前記吸込口から吸引した空気を前記吹出口へと導く風路上に、循環気流加熱手段を備えた
ことを特徴とする請求項１〜１１の何れか一項に記載の加熱調理器。
【請求項１３】
前記循環気流加熱手段は棒状であり、前記吹出口の開口面に対して概平行に配置した
ことを特徴とする請求項１２記載の加熱調理器。
【請求項１４】
前記吸込口から吸引した空気を前記吹出口へと導く風路上であって、前記循環気流加熱手段の輻射が届く位置に第二触媒体を設けた
ことを特徴とする請求項１２または１３記載の加熱調理器。
【請求項１５】
前記吸込口から吸引した空気を前記吹出口へと導く風路と前記筐体の外部とを連通させる排気風路と、
前記排気風路内であって前記循環気流加熱手段の輻射が届く位置に設けられた第三触媒体とを備えた
ことを特徴とする請求項１２〜１４の何れか一項に記載の加熱調理器。
【請求項１６】
前記吸込口から吸引した空気を整流して前記吹出口へと導く整流手段を備え、
前記整流手段は、
前記調理室壁面と一体的に形成、または、前記循環気流加熱手段の放熱フィンにより構成した
ことを特徴とする請求項１２〜１５の何れか一項に記載の加熱調理器。
【請求項１７】
加熱調理器に対する動作指示を入力するための操作部と、
前記調理室内の温度を検知する温度検知手段と、
調理時間をカウントする手段とを備え、
前記動作指示に従い前記温度検知手段の検知温度と前記調理時間とから、前記送風手段の制御を行い送風量を調節する
ことを特徴とする請求項１〜１６の何れか一項に記載の加熱調理器。
【請求項１８】
前記調理室扉の開閉状態を検知する扉開閉検知手段と、
加熱調理器に対する動作指示を入力するための操作部と、
報知部と、
前記操作部に対して加熱開始の指示が入力されたとき、前記扉開閉検知手段が前記調理室扉が開状態であることを検知している場合には、加熱を開始できないこと、または、前記調理室扉を閉めるべきことを前記報知部に報知させる制御手段を備えた
ことを特徴とする請求項１〜１６の何れか一項に記載の加熱調理器。
【請求項１９】
前記制御手段は、前記上方加熱手段による加熱中に、前記扉開閉検知手段が前記調理室扉が開状態であることを検知した場合には、前記上方加熱手段及び前記送風手段の動作を停止させる
ことを特徴とする請求項１８記載の加熱調理器。
【発明の詳細な説明】
【技術分野】
【０００１】
本発明は、調理室内を発熱体で加熱することにより、調理室内に収容された調理用食材等の被加熱物に対して焼く・蒸す等の調理をおこなう加熱調理器に関する。
【背景技術】
【０００２】
従来、被加熱物を収容する調理室と加熱手段とを備えた、いわゆるロースターなどの加熱調理器が知られている。このような加熱調理器では、加熱手段からの輻射や空気・調理台を媒体とした伝熱を利用した調理がおこなわれている。
こうした加熱調理器が有する機能の一つとして、両面焼きがある。この両面焼きは、ユーザーが被加熱物を裏返す等の手間をかけることなく、調理台上に載置された被加熱物の上下面を含む全体を加熱調理するものである。ユーザーの家事労働の軽減に繋がるため、このような両面焼き機能を備えた加熱調理器が一般的に使用されている。
【０００３】
両面焼きを実現する一般的な方法として、調理室内の調理台に載置された被加熱物の上方と下方とにヒータ等の加熱手段を設ける方法が知られている。このような加熱調理器では、被加熱物の上方と下方から輻射により被加熱物を加熱するとともに、調理室内の温度を上昇させ空気を介した熱伝達により被加熱物の温度を上昇させて、被加熱物全体の加熱調理を行っている。
【０００４】
上記のような被加熱物の下方に設けられた加熱手段（以下、下方加熱手段ともいう）を有する加熱調理器においては、油脂分を含む食材等を被加熱物として加熱した場合、加熱されることにより被加熱物から油脂分が滴下しうる。この滴下した油脂分が下方加熱手段に接触したり、受皿に溜まった油脂分が下方加熱手段により加熱されたりすることにより、発煙・発火する可能性がある。発煙・発火が生じると、被加熱物の食味を損なうという不具合や、加熱調理器に対する過度の負荷となって製品寿命を短くするなどの不具合がある。また、被加熱物から滴下する油脂分、塩分、水分等を含んだ汁気が下方加熱手段に接触することにより、下方加熱手段の表面を腐食させて絶縁不良・断線等を生じ、加熱機能が損なわれる不具合もある。また、適切な調理効果（適度な焼き加減、焼きムラの少ない加熱調理）を得るためには下方加熱手段と被加熱物との距離を設ける必要がある。このような事情により、下方加熱手段の上方・下方にはより多くの空間が必要とされ、調理室内の高さ寸法において、下方加熱手段の上下空間の寸法が占める比率は高い傾向となる。
【０００５】
さらに、このような加熱調理器は、いわゆるＩＨクッキングヒータやガステーブルなど、キッチンのカウンター内に組み込んで使用される場合がある。一般的に、キッチンのカウンター内に組み込まれる加熱調理器はモジュール化されており、その高さ寸法は標準化されている。例えば、加熱調理器の高さ寸法が約２３０ｍｍであり、この加熱調理器がキッチンカウンターの上面から２２０ｍｍ程度の深さに納まるように組み付けられる。
このように加熱調理器の高さ寸法に制約がある一方で、例えば鯛等の比較的大きな魚の姿焼きや、パン・スポンジケーキ等の厚みのある（高さ寸法の大きい）被加熱物の調理もユーザーにより求められている。すなわち、調理室を有する加熱調理器においては、できるだけ厚みのある（高さ寸法の大きい）被加熱物を調理できるよう、調理室内の高さを拡大することが望まれている。
【０００６】
上記のように、厚みのある被加熱物を調理できるよう調理室内の高さ寸法の拡大が望まれる一方で、下方加熱手段の上方・下方により多くの空間が必要とされ、また組み込み式の加熱調理器の場合にはさらに高さ寸法に制約が加わる。したがって、結果として、調理室内で加熱可能な被加熱物の高さが制限されて加熱調理器の調理能力の制約となってしまっていた。
【０００７】
また、一般に、下方加熱手段をユーザーが着脱することは容易でなく、調理室内の清掃等のメンテナンスは下方加熱手段が取り付けられた状態でおこなわれる。ところが、上述のように調理室内の高さ寸法には制約があるために、下方加熱手段と調理室底面との間隔は狭くなる傾向がある。したがって、下方加熱手段と調理室底面との間には手が入り難いなど、特に調理室底面の清掃性を低下させることとなっていた。
【０００８】
こうした不具合を解消するために、調理室とは別に加熱室を設け、「上下ヒータを無くして加熱室から調理室に熱を送り込み、循環することによって調理物を加熱して調理をおこなう」加熱調理器の提案がなされている（例えば、特許文献１参照）。
【０００９】
また、多数の透孔を設けた整流体を被調理物載置具の下方位置に配設し、「加熱気体流吹き出し口より調理室内に吹き出される加熱気体流は整流体の多数の透孔を通って被調理物に直接当り、その後調理室内の上方に送られて加熱気体流吸い込み口より循環風路内に吸い込まれる」加熱調理器の提案もなされている（例えば、特許文献２参照）。
【００１０】
また、「加熱網とその下方の受皿との間に伝熱材を配置し、ヒータによって加熱され送風機で送出される循環気流を伝熱材と受皿の間に流通させる構成とし」、加熱網下部を面状体放射加熱により調理する加熱調理器の提案もなされている（例えば、特許文献３参照）。
【先行技術文献】
【特許文献】
【００１１】
【特許文献１】特開２００９−２８４９２６号公報（第３頁、図１）
【特許文献２】特開２００５−０６１７６１号公報（第４頁、図４）
【特許文献３】特開２００７−１０５３５６号公報（第３頁、図１）
【発明の概要】
【発明が解決しようとする課題】
【００１２】
しかしながら、前述した特許文献１の加熱調理においては、空気を媒介とした適切な加熱の具体的実現手段が示されていない。すなわち、特許文献１には、「通風手段１３によって調理室１１内の空気は気体吸気口１４を介して吸い込まれ、加熱室１１の加熱手段１２へ送風されるので、調理物３に対し加熱室１１内で加熱された高温の空気が気体吹出口１５を介して供給される。」との記載があるが、同一の調理室壁面に吸込口と吹出口が配置されていて両者が近接しているため、吹出口から吹き出された気流がすぐに吸込口に吸引されやすく、調理室全体を循環しながら対流する流れとはならない可能性がある。
また、吹出口が設けられた調理室壁面の近傍と、この壁面とは距離の離れた対向する壁面近傍とでは、温度・流速等の加熱条件が異なり、均一な加熱・調理効果を得られないという課題がある。
【００１３】
また、上記特許文献１の加熱調理においては、空気を媒介とした熱伝達が主体である。このため、調理室内の空気及び調理室を構成する部品の熱容量や調理室外への放熱による熱ロスにより、調理室内の温度上昇に時間がかかり、調理工程の初期における被加熱物表面の温度上昇は、周囲の温度によらず直接被加熱物を加熱する輻射による伝熱を併用した場合に比べて遅くなる。したがって、被加熱物の表層部のタンパク質の凝固に遅れが生じることなどにより、表面はパリッとして中はしっとりジューシーとなる良好な食味・調理効果が得られにくく、被加熱物全体の水分が揮発する傾向にあり、パサつきのある食味の良くない調理の仕上がりになるという課題もある。
【００１４】
また、上記特許文献１の加熱調理においては、調理室の排気が直接、加熱調理器外へ排気され、排気に含まれる煙や臭気により、調理作業環境が損なわれるという課題があった。
【００１５】
上記特許文献２の加熱調理器においては、多数の流出口を備えた整流板により、特許文献１の技術に比較して、被加熱物の不均一な加熱は軽減される傾向にあるが、送風手段からの距離により流出口からの流出量（風量）の変動に伴う加熱ムラには配慮されておらず、均一な調理効果を得ることは難しい。
【００１６】
また、上記特許文献２の加熱調理器においては、加熱調理に伴い被加熱物から油脂や汁気が滴下して下方にあるものに付着・汚染した場合、整流板は取り外して洗浄できるとしているが、整流板の表面を伝い流出口から下方へ滴下することを防止することができない。このため、調理室の底面に付着・汚染してしまい、取り外さない状態で底面の清掃・メンテナンスをおこなう必要があり、ユーザーの清掃・メンテナンスにかかる手間を増大させる課題があった。
【００１７】
また、上記特許文献２の加熱調理器においても、輻射による加熱手段を備えないことや、調理室の排気が直接室内に放出され室内の空気環境を損なうことは上記特許文献１の加熱調理器と同様である。
【００１８】
特許文献３の加熱調理器においては、調理室の上部には上方加熱手段を備え、下方は伝熱板を備え上下より、被加熱物を輻射加熱する構成として、良好な調理効果を得られるとされている。しかし、伝熱板は５００〜６００℃程度の温度となることから、油の発火点である３７０℃を超えており、滴下した油脂は伝熱板への接触は避けられないことから発煙・発火の抑制に十分な効果を期待できない。また、伝熱板に多数の貫通孔を設けて油脂を受皿へ流下させるとしているが、多数の貫通孔を設けた場合、輻射面積が減少して下方からの十分な面輻射による加熱がおこなわれず伝熱板として機能しない。また、貫通孔が少ない場合は伝熱面から流下するまでの時間が長くなり発煙・発火のリスクが高まるといった矛盾もある。
【００１９】
また、上記特許文献３の加熱調理器においては、伝熱板を介した輻射加熱となるため伝熱板があたたまるまでは輻射加熱がおこなわれず、調理時間が長くなり、ユーザーが家事に費やす時間が増えて家事の省力化に逆行することとなってしまう。また、調理時間の延長に伴う熱漏洩によるロスは増加することから、加熱効率の低下は避けられず、消費電力量も増加して環境負荷を増大させるという課題がある。
【００２０】
また、上記特許文献３の加熱調理器においては、整流板と受皿の間に送風路を挟む積層構造とし、それぞれ一定以上の厚さ（高さ寸法）が必要となることから、下方加熱ユニットの高さ寸法の抑制・低床化効果が十分に得られない課題があった。
【００２１】
また、上記特許文献３の加熱調理器においては、受皿に油脂の冷却のため貯水するとしているが、調理の伴う加熱も冷却されてしまい加熱効率が低下することや、調理室に排気風路を備えず、密閉状態で加熱調理を行うことから、調理に伴う煙や臭気成分が被加熱物である食材に付着して風味を損なう課題があった。
【００２２】
本発明は、上記のような課題を解決するためになされたもので、加熱調理器の調理室内での油脂の発火・発煙を抑制することのできる加熱調理器を提供するものである。また、より厚みのある被加熱物を加熱することのできる加熱調理器を提供するものである。また、加熱効率のよい加熱調理器を提供するものである。
【課題を解決するための手段】
【００２３】
本発明に係る加熱調理器は、筐体内に設けられた調理室と、前記調理室内の上方に設けられた上方加熱手段と、前記調理室内に被加熱物を出し入れするための調理室扉と、前記調理室内へ出入自在に配置される受皿と、前記受皿の上方に設けられ、被加熱物を載置するための調理台と、前記調理室に設けられた吸込口及び吹出口と、前記調理室内の空気を前記吸込口から吸引し、前記吸込口から吸引した空気を前記吹出口から吹き出させる送風手段とを備え、前記受皿は、内部に通風可能な空間が設けられ、前記調理室の前記吹出口と着脱自在に接続され前記吹出口からの空気を内部に流入させる流入口と、上面に形成された複数の流出口とを有し、前記流出口は、前記調理台と対向する開口であって、前記開口の縁が上方に突出した凸形状に形成され、前記流入口から流入した空気を上方へ吹き出すものである。
【発明の効果】
【００２４】
本発明は、調理室の吹出口から吹き出される空気流を、受皿の流入口から流入させ、受皿の上面に形成された複数の流出口から吹き出すことにより、被加熱物の下方にヒータ等の加熱手段を配置しなくても衝突噴流熱伝達により、効率良く被加熱物を加熱できる。
また、複数の流出口から吹き出された空気からの衝突噴流熱伝達により被加熱物を加熱するため、加熱ムラを軽減して良好な調理効果・仕上がりを得ることができる。
また、被加熱物を衝突噴流熱伝達により加熱するため、加熱効率が高まり、より短時間の調理ができ、エネルギーロスが低減でき消費電力量が少なく、省エネルギーで環境負荷を低減できる効果がある。
【００２５】
また、調理台と受皿との間にヒータ等の下方加熱手段を設けなくてよいために調理台と受皿との間の高さ寸法を小さくできるので、調理室内において被加熱物を載置するためのスペースをより大きくすることができ、厚みのある被加熱物の調理が可能となる。
【００２６】
また、被加熱物の下方にヒータ等の下方加熱手段を設けなくてよいので、被加熱物からの油脂分が下方加熱手段に加熱されることによる発煙・発火を軽減することができる。また、発煙・発火を軽減することで、安全性が高まり信頼性が高く製品寿命を長くすることができる。
【００２７】
また、受皿の流入口と調理室の吹出口は着脱自在に接続され、受皿は調理室から出入可能であることから、受皿および調理室内部のメンテンス性・清掃性を高める効果がある。
【図面の簡単な説明】
【００２８】
【図１】実施の形態１に係る誘導加熱調理器全体を示す斜視図である。
【図２】実施の形態１に係る誘導加熱調理器１００のトッププレート４と吸排気口カバー５を取り外した状態の本体１の斜視図である。
【図３】実施の形態１に係る調理室１１全体を示す前面側斜視図である。
【図４】実施の形態１に係る調理室１１の調理室上壁２５を取り外した状態の斜視図である。
【図５】実施の形態１に係る調理室１１の調理室上壁２５、上方加熱手段２４、調理室扉７に付帯する部品、スライドレールカバー４２を取り外した状態の斜視図である。
【図６】実施の形態１に係る調理室１１の調理室上壁２５、上方加熱手段２４、調理室扉７に付帯する部品、スライドレールカバー４２を取り外した状態を示す背面側斜視図である。
【図７】実施の形態１に係るファンケーシング２０と付帯部品の斜視図を示す。
【図８】実施の形態１に係る調理室扉７と付帯部品を調理室１１から引き出して取り外した状態の斜視図である。
【図９】実施の形態１に係る調理室扉７と付帯部品を示す分解斜視図である。
【図１０】実施の形態１に係る調理室１１の受皿流出口３０、スライドレール固定側３７、スライドレール移動側３８を示す上面断面図である。
【図１１】実施の形態１に係る本体１の側面断面図である。
【図１２】実施の形態２に係る調理室１１の斜視図である。
【図１３】実施の形態２に係る調理室１１の調理室上壁２５を取り外した状態の背面側斜視図である。
【図１４】実施の形態２に係る調理室１１の調理室上壁２５、上方加熱手段２４、調理室扉７に付帯する部品、スライドレールカバー４２を取り外した前面側斜視図である。
【図１５】実施の形態２に係る調理室扉７と付帯部品を調理室１１から引き出して取り外した状態の斜視図である。
【図１６】実施の形態２に係る受皿２７を示す分解斜視図である。
【図１７】実施の形態２に係る調理室１１の受皿流出口３０、スライドレール固定側３７、スライドレール移動側３８を示す上面断面図である。
【図１８】実施の形態２に係る本体１の側面断面図である。
【図１９】実施の形態３に係る調理室１１の斜視図である。
【図２０】実施の形態３に係る調理室１１の調理室上壁２５を取り外した状態の背面側斜視図である。
【図２１】実施の形態３に係る調理室１１の調理室上壁２５、上方加熱手段２４、調理室扉７に付帯する部品、スライドレールカバー４２を取り外した状態の斜視図である。
【図２２】実施の形態３に係るファンケーシング２０と付帯する部品の斜視図である。
【図２３】実施の形態３に係る調理室扉７と付帯部品を調理室１１から引き出して取り外した状態の斜視図である。
【図２４】実施の形態３に係る受皿２７を示す分解斜視図である。
【図２５】実施の形態３に係る調理室１１の受皿流出口３０、スライドレール固定側３７、スライドレール移動側３８を示す上面断面図である。
【図２６】実施の形態３に係る本体１の側面断面図である。
【発明を実施するための形態】
【００２９】
実施の形態１．
本実施の形態では、キッチンのカウンター内等に組み込まれて使用される誘導加熱調理器に、本発明の加熱調理器を適用した場合を例に説明する。なお、以降の説明において、理解を容易にするために方向を表す用語（例えば、「上」、「下」、「左」、「右」等）を用いる場合があるが、これは説明のためのものであって、これらの用語は発明を限定するものではない。これらの方向を示す用語は、特に明示しない限り、図１の矢印Ａ方向から見た場合の方向を示すものとする。また、「前面」とは、誘導加熱調理器を図１の矢印Ａ方向から見た手前側の面をいい、「背面」とは、矢印Ａ方向から見た奥行き側の面をいうものとする。
【００３０】
（誘導加熱調理器の構成）
図１は、実施の形態１に係る誘導加熱調理器全体を示す斜視図である。
図１において誘導加熱調理器１００の本体１の筐体２の上側には、筐体上面３が着脱自在に配置される。筐体上面３の背面側には吸排気口カバー５、中央にトッププレート４、前面側に操作部６が配置される。また、筐体２の内部には、調理室１１が設けられている。
【００３１】
トッププレート４には、被加熱物（図示せず）を載置するための載置部として、右載置部８ａ、左載置部８ｂ、及び中央載置部８ｃ（これらを載置部８と総称する場合がある）という３か所の載置部が設けられている。また、トッププレート４には、液晶画面やランプ等の視覚的な表示手段を備えた表示部９が設けられている。この表示部９には、本体１の動作状態を報知する情報や、操作部６からの入力・操作内容等が表示される。なお、表示部９は本発明における「報知部」に相当する。
【００３２】
吸排気口カバー５は通気性を有するパンチングメタルや格子状の金属部材で構成されている。吸排気口カバー５は、筐体２の内部を冷却するための冷却風や調理室１１の排気流が、通気抵抗少なくスムースに通過できるよう構成されている。
【００３３】
筐体２の前面側において、中央には調理室扉７が設けられている。調理室扉７は、調理室１１内で調理される被加熱物を調理室１１内へ出し入れできるよう、前後方向にスライドして調理室１１の前面開口部を開閉する。また、調理室扉７は、調理室１１内や調理室扉７自身の清掃等のメンテナンスを容易にするため、着脱可能に構成されている。なお、本実施の形態では、調理室扉７の両側にも操作部６が設けられている。
【００３４】
なお、本実施の形態の調理室１１及び前面側の操作部６の配置は一例であり、これに限るものではない。例えば、本実施の形態では、調理室１１は筐体２の左右中央に配置されているが、調理室１１を筐体２の左右どちらかの側面に寄せて配置してもよい。また、操作部６を左右どちらかの側面に寄せて配置してもよいし、前面側に操作部６を設けない構成とすることもできる。
【００３５】
図２は、実施の形態１に係る誘導加熱調理器１００のトッププレート４と吸排気口カバー５を取り外した状態の本体１の斜視図である。
筐体上面３の背面側の中央には筐体排気口１３が設けられ、左右にはそれぞれ筐体吸気口１４が設けられている。筐体２の内部の背面側には、筐体２内を冷却する冷却風を導く冷却風排気風路１５が設けられている。筐体排気口１３は、この冷却風排気風路１５に接続されており、冷却風排気風路１５により導かれた冷却風は筐体排気口１３から本体１の外部へ排出される。また、冷却風排気風路１５内には、調理室１１からの排気を導く調理室排気風路１０が配置されている。したがって、調理室１１からの排気は、調理室排気風路１０に導かれて冷却風排気風路１５内の排気と合流し、筐体排気口１３から本体１の外部へ排出される。なお、通常の使用状態においては、筐体排気口１３は、図１で示した吸排気口カバー５により覆われている。
【００３６】
トッププレート４の右載置部８ａ、左載置部８ｂ、中央載置部８ｃの下方には、それぞれ、誘導加熱コイルユニット１８ａ、誘導加熱コイルユニット１８ｂ、誘導加熱コイルユニット１８ｃ（これらを誘導加熱コイルユニット１８と総称する場合がある）が設けられている。誘導加熱コイルユニット１８は、トッププレート４上に載置される被加熱物の加熱に使用される。誘導加熱コイルユニット１８のいずれか又はすべてを、ジュール熱で加熱するラジエントヒータ等と置き換えてもよい。
【００３７】
誘導加熱コイルユニット１８の下方には、調理室収納部１９が板金等により区画形成され、調理室収納部１９の内部には調理室１１が配置される。調理室収納部１９と調理室１１の間には隙間が設けられ、空気層による断熱がおこなわれている。なお、調理室収納部１９と調理室１１との間の空気層に冷却風の一部を流入させて断熱効果を高める構成としてもよいし、この空気層に代えてグラスウール等の耐熱性のある断熱材を挿入してもよい。
【００３８】
調理室収納部１９の左右両側には、それぞれ、基板ケースユニット１７が配置されている。基板ケースユニット１７は、誘導加熱コイルユニット１８に高周波電力を供給するインバータ回路を実装した回路基板（図示せず）や、誘導加熱調理器１００の動作を制御する制御手段としての回路が実装された各種回路基板（図示せず）を収容する。また、基板ケースユニット１７は、筐体２内へ冷却風を吸引する冷却ファン（図示せず）を収容しており、冷却風のダクトとしての機能も有している。基板ケースユニット１７には、冷却風を吸い込む吸込口が設けられており、この吸込口は左右それぞれの筐体吸気口１４の下方に配置され筐体吸気口１４に接続されている。
【００３９】
基板ケースユニット１７内の冷却ファンが動作すると、筐体吸気口１４から冷却風が吸い込まれる。この冷却風は、筐体吸気口１４に接続された基板ケースユニット１７の吸込口から基板ケースユニット１７内に流入して冷却ファンにより吸引・送出され、基板ケースユニット１７内部の各種回路基板に実装された部品を冷却し、基板ケースユニット１７の排気口から排気される。基板ケースユニット１７の排気口から排気された冷却風は、誘導加熱コイルユニット１８の下方に配置されたチャンバ１６に流入する。
チャンバ１６は、誘導加熱コイルユニット１８の下方に配置されており、誘導加熱コイルユニット１８に向けて冷却風を吹き出す機能を有する。チャンバ１６内に流入した冷却風は、チャンバ１６の上面に設けられた吹出口から吹き出されて誘導加熱コイルユニット１８に吹き付けられ、誘導加熱コイルユニット１８を冷却する。
【００４０】
図３は、実施の形態１に係る調理室１１全体を示す前面側斜視図である。また、図４は、実施の形態１に係る調理室１１の調理室上壁２５を取り外した状態の斜視図である。
調理室１１の上方には、上方加熱手段２４が配置されている。本実施の形態では、上方加熱手段２４として、抵抗発熱体であるシーズヒータを用いている。なお、上方加熱手段２４の具体的構成はこれに限らず、遠赤外線ヒータを用いてもよいし、フラットヒータで天板を加熱してもよく、また、誘導加熱コイルで天板や抵抗発熱体を発熱させるもの等でもよく、調理室１１内の被加熱物の上方より輻射や空気を介した熱伝達で加熱できる手段であればよい。本実施の形態では、上方加熱手段２４は奥行き方向及び幅方向に折り曲げられており、調理室１１の上方の広範囲を加熱できるようになっている。
【００４１】
調理室１１の背面には上方加熱手段２４を取付用の開口部が設けられ、上方加熱手段２４の端子部は調理室１１外の背面に設けられている。この端子部は、基板ケースユニット１７内の回路基板に配線され（図示せず）、制御手段により上方加熱手段２４による加熱の有無や加熱量が制御される。
【００４２】
上方加熱手段２４の下方には調理台２６が配置され、その下方に受皿２７が配置されている。調理室１１の背面壁には、調理室吸込口１２が設けられている。調理室吸込口１２は、ファンケーシング２０に連通している。
【００４３】
受皿２７の上面には、受皿流出口３０が多数形成されている。受皿流出口３０は噴流を噴出すノズルとして機能し、調理台２６に載置された被加熱物（図示せず）に下方より噴流を噴出して、衝突噴流熱伝達により効率良く噴流の熱を被加熱物に熱伝達する。
【００４４】
調理室１１の側面は、二重壁構造となっており、この二重壁の間に断熱空間３５が設けられている。断熱空間３５により、調理室１１からの熱漏洩を抑制して調理室１１内の加熱効率を高めるとともに、熱漏洩による周囲に配置される部品の温度上昇を抑制して冷却効率を高めている。本実施の形態においては、後述するように調理室１１の上面と底面及び側面を二重壁構造としているが、求められる断熱性能に応じては全ての面に設ける必要なく、また、ファンケーシング背面や全体を二重壁構造とするなどして更に断熱性能を高めてもよい。
【００４５】
調理室１１には、調理室扉７の開閉を規制するロック機構（図示せず）が設けられている。このロック機構は、例えば、調理室１１における加熱調理動作中や、加熱調理終了・停止後の所定条件（調理室内温度、ターボファン２２（図７参照）の慣性による回転動作中等）の場合には、ロックがかかって調理室扉７を開けることができないよう構成されている。
【００４６】
また、調理室扉７のスライドによる開閉を検知する手段（扉開閉検知手段）を備えており（図示せず）、調理室扉７が開いている状態では、操作部６に加熱指示が入力されても調理室１１内での加熱はおこなわれない。また、調理室扉７が開いている場合には、調理室扉７が開いているため加熱調理がおこなわれない旨の情報や、調理室扉７を閉めるよう喚起する情報を、表示部９により報知してもよい。
調理室扉７の開閉を検知する手段としては、例えば、磁石が内蔵された調理室扉７がスライドして閉じたときに、本体側に設けた磁気検知手段が調理室扉７の磁気を検知して調理室扉７が閉まっていることを検知するものを採用することができる。ただし、この検知手段は一例であり、光・超音波・電波等の反射や遮断を検知する非接触の検知手段やメカニカルスイッチ等の接触式・機械式の検知手段を用いてもよく、調理室扉７の開閉が検知できる手段を備えていれば検知手段の具体的構成によらず本発明の効果は得られる。
【００４７】
また、例えば加熱調理動作中に、上記ロック機構の損傷等で誤って調理室扉７が開いてしまった場合は、調理動作中の加熱手段や送風機の動作が停止され、調理室１１の前面開口からの輻射や熱風の漏れを抑制する。
【００４８】
図５は、実施の形態１に係る調理室１１の調理室上壁２５、上方加熱手段２４、調理室扉７に付帯する部品、スライドレールカバー４２を取り外した状態の斜視図である。
調理室１１の背面の調理室吸込口１２の下方には、複数の調理室吹出口２８が設けられ、調理室吸込口１２から吸引された空気の多くは循環気流加熱手段２３で加熱され、調理に適した温度となり吹出される。調理室吹出口２８は受皿２７を構成する受皿下部３６の受皿流入口２９と概気密に接続され、吹出された加熱空気は受皿流入口２９より受皿２７内に流入する。なお、調理室吹出口２８は本実施の形態においては概同一形状の長方形を５つ並べて構成しているが、形状・数はこれに限るものではなく、受皿２７内の空間の気流の分布や各受皿流出口３０の流出量の制御するため形状や数を変更して調整することで良好な調理効果を得ることができる場合もありこれに限るものではない。
【００４９】
調理室１１の側面にはスライドレール固定側３７が取付られており、その背面側端は調理室１１背面の開口より突出している。調理室１１背面から突出したスライドレール固定側３７は、通常使用状態においては、スライドレールカバー４２（図３参照）で覆われており、調理室１１背面の貫通用の開口とスライドレールカバー４２内は連通しているが、調理室１１の気密性は概ね確保される。
【００５０】
スライドレール固定側３７にはスライドレール移動側３８（図８参照）がスライド自在に固定され、調理室扉７や付帯する保持部３１、受皿下部３６、受皿２７、調理台２６を支持しながらスライドして調理室扉７の開閉をおこなう。
【００５１】
調理室１１の内面には、調理室１１内の温度を検知する温度センサ３２が設けられている。温度センサ３２としては、例えば白金測温抵抗体・サーミスタ・熱電対等が用いられる。必要に応じて複数の温度センサ３２を設けてもよく、また温度センサ３２の配置も壁面に限らず必要に応じて天面や底面、受皿２７や調理台２６に設けてもよい。また、被加熱物から放射される赤外線量を検知して被加熱物の表面温度を検知する被接触式の温度センサ３２を備えてもよい。これらの温度センサ３２の出力は基板ケースユニット１７内の電子回路基板に実装される制御手段に伝送される。制御手段は、加熱調理用のソフトウェアにしたがい、操作部６により表示部９に示される調理メニューや加熱条件の設定や、調理室１１内や被加熱物の温度に基づいて、上方加熱手段２４、循環気流加熱手段２３、電動機２１等の出力や動作をコントロールする。
【００５２】
図６は、実施の形態１に係る調理室１１の調理室上壁２５、上方加熱手段２４、調理室扉７に付帯する部品、スライドレールカバー４２を取り外した状態を示す背面側斜視図である。
調理室１１の背面にはファンケーシング２０が設けられ、その背面には電動機２１が配置され、電動機２１の回転軸にはファンケーシング２０内に設けられたターボファン２２（図７参照）が取り付けられている。調理室１１における加熱時には、基板ケースユニット１７内の制御手段により電動機２１の回転の有無や回転数等が制御され、電動機２１の回転によりターボファン２２（図７参照）が動作する。電動機２１は、例えばＤＣモーターや誘導モーターが用いられる。電動機２１は、その仕様に応じ、動作環境と回転軸軸受け寿命との兼ね合い等によって必要に応じて冷却される。より具体的には、例えば、電動機２１の回転軸に冷却用のファンが設けられる等の構成が採用される。
【００５３】
また、ファンケーシング２０の背面には、調理室排気風路１０が設けられている。調理室排気風路１０とファンケーシング２０内部とは連通しており、調理室１１内から吸引した空気の一部を排気して調理室１１内の空気を換気する。これにより、調理室１１内の空気に、加熱調理に伴う煙や臭気成分の滞留を軽減して、煙や臭気成分が被加熱物である食材に付着するのを抑制して調理の仕上がり食味を良好としている。
【００５４】
ファンケーシング２０の左右側面を貫通するように、循環気流加熱手段２３が設けられており、ファンケーシング２０の外側には循環気流加熱手段２３を動作させるための端子部が露出している。この端子部は、基板ケースユニット１７内の回路基板に配線され（図示せず）、制御手段によって循環気流加熱手段２３による加熱の有無や加熱量が制御される。
【００５５】
また、調理室１１の背面から突出したスライドレール固定側３７には磁石４１が配置されている。磁石４１はＵ字型部材を介してスライドレール固定側３７の先端に締結部材で固定される。調理室１１外に配置された磁石４１はスライドレール移動側３８に取付けられた磁石４１（図８参照）と磁力による引力を生じさせ、スライドレール移動側３８を閉方向に付勢している。
【００５６】
図７は、実施の形態１に係るファンケーシング２０と付帯部品の斜視図を示す。
ファンケーシング２０内には、電動機２１の回転軸に取り付けられたターボファン２２が回転自在に収納されている。電動機２１が動作することによりターボファン２２が回転して、遠心ファンの作用により調理室吸込口１２から吸引され、この吸引された気流はターボファン２２の外周側へ送出される。なお、電動機２１、ターボファン２２およびファンケーシング２０は本発明における「送風手段」を構成する。
【００５７】
なお、本実施の形態においてはターボファン２２を用いて空気を吸引・送出しているが、調理室吸込口１２から調理室１１内の空気を吸引でき、ファンケーシング２０内に送出できればこれに限るものではなく、ラジアルファンやシロッコファン等の遠心ファンやファンケーシング２０を適切な形状とすることで軸流ファンや貫流ファンを用いてもよく送風手段を限定するものではない。
【００５８】
ファンケーシング２０において、ターボファン２２の下方には、調理室排気風路１０と連通する排気風路接続口４３が設けられている。また、排気風路接続口４３には、触媒体３４が配置されている。触媒体３４にはPd、Pt、Mnのいずれかを含む酸化触媒が添着されていて、排気が通過するときに油煙や臭気成分等の物質を酸化触媒が吸着して酸化分解をおこなうことで排気に含まれる汚染物質の一部を浄化しており、調理空間への排気のユーザーの不快感を軽減している。
【００５９】
ターボファン２２により送出された気流の一部は、排気風路接続口４３から調理室排気風路１０へ流入して、調理室排気風路１０の背面側垂直部の上端開口より排気される。排気される風量は触媒体３４の圧力損失を含め調理室排気風路１０の流路断面積により適切な排気風量となるよう調整される。適切な風量の排気により加熱効率が不要に低下することはなく、同時に調理室１１内の換気不足による調理効果・仕上がりを損なうこともない。
【００６０】
ファンケーシング２０の下方には、棒状の循環気流加熱手段２３がファンケーシング２０の両側面にわたって配置されている。循環気流加熱手段２３は、ファンケーシング２０の奥行き方向のほぼ中ほどに配置されていて、ファンケーシング２０の背面側の壁に接触しないようになっている。また、循環気流加熱手段２３は、調理室吹出口２８の開口面とほぼ平行な向きで配置されている。ファンケーシング２０を調理室１１の背面側に取り付けた状態においては、後述する図１１に示すように、循環気流加熱手段２３と調理室１１の背面との間に空間が形成されるとともに、循環気流加熱手段２３とファンケーシング２０の背面との間にも空間が形成される。
【００６１】
ターボファン２２から調理室吹出口２８に至る気流は、ファンケーシング２０内においてこれらいずれかの空間を通過する際に循環気流加熱手段２３で加熱され、加熱された直後に調理室吹出口２８より送出される。循環気流加熱手段２３は、調理室吹出口２８により近い位置に設けることが好ましい。このようにすることで、循環気流加熱手段２３により加熱されてから調理室吹出口２８より送出されるまでの気流の経路を短くして調理室１１内側へ戻すことで、熱ロスを低減して循環気流を送出することで加熱効率を高め省エネルギーとしている。また、循環気流加熱手段２３の背面側には触媒体３４が配置され、触媒体３４は通過する排気の熱に加えて循環気流加熱手段２３からの輻射により加熱されることでより高い温度となり、反応速度が速くなり触媒活性が高まり、排気の浄化をより高めている。なお、実施の形態１における触媒体３４は本発明における「第三触媒体」に相当する。
【００６２】
なお、循環気流加熱手段２３としては、例えば、ガラス管ヒータ、シーズヒータ、セラミックヒータ等が用いられる。昇温速度の速い石英管ヒータ、ハロゲンランプヒータ、カーボンヒータ等のガラス管ヒータを用いることにより調理時間を短縮することができる。
【００６３】
図８は、実施の形態１に係る調理室扉７と付帯部品を調理室１１から引き出して取り外した状態の斜視図である。また、図９は、実施の形態１に係る調理室扉７と付帯部品を示す分解斜視図である。
調理室扉７の調理室１１側の外周部には、気密部材３３が配置され、調理室扉７が閉められた状態では、調理室１１前面開口部の外周に気密部材３３が接触して、調理室扉７と調理室１１との隙間からの調理室１１内の空気漏れを抑制する。調理室扉７は一定の断熱がなされており、加熱調理中に取手部等を触るなどしてもユーザーが火傷をすることはない。また、調理室扉７にはガラス窓等の透過部を設け、調理室１１内を目視できるようにしてもよい。
【００６４】
ユーザーが調理室扉７を引きだした場合、調理室扉７は所定の位置までスライド移動して、ストッパー（図示せず）によりスライドレール移動側３８がスライドレール固定側３７から外れることはなく、所定の位置以上のスライドはせず、引き抜ける等の危険な状態にはならない。また、調理室扉７はスライドレール移動側３８に着脱自在に係合されており、調理室扉７を調理室１１から取り外して洗浄等のメンテナンスが容易におこなえる構造としている。
【００６５】
左右のスライドレール移動側３８間には、受皿２７を着脱自在に保持する保持部３１が設けられており、受皿２７、受皿下部３６をガタツキ少なく保持している。保持部３１は背面側に垂直面３１ａを有するが、受皿下部３６の受皿流入口２９と調理室吹出口２８の接続を妨げない位置・寸法形状としている。
【００６６】
スライドレール移動側３８の背面側の端部には、磁石４１が締結部材により固定されている。調理室扉７が閉じた状態において磁石４１は調理室１１外に配置された磁石４１（図６参照）と対向して、接触せず磁力の働く位置となり、スライドレール移動側３８は調理室扉７が閉じる側に付勢される。
【００６７】
受皿２７の上面は２段の凹部があり、外周面より１段下がった面で調理台２６の脚部をガタツキ少なく支持する。さらに１段下がった面には受皿流出口３０が設けられ、その外周は上方に凸形状で受皿２７の上面に被加熱物から滴下した油脂や汁気を受皿下部３６に流下するのを抑制するとともに、受皿流出口３０から噴き出される空気の整流をおこない良好な噴流の形成に寄与している。
【００６８】
調理台２６の上面は被加熱物が載置される載置面となる。載置面は高い開口率で、受皿流出口３０からの噴流の多くを被加熱物の下面に直接接触させ効率良く伝熱できる。また、調理台２６の脚部は受皿流出口３０からの噴流を妨げない形状・配置となるよう、受皿流出口３０の上方に係らない（重ならない）形状・配置としている。この調理台２６は、例えば前後方向に延びる棒状のステンレス鋼を複数並べて構成された、いわゆるストレートタイプの焼き網で構成されている。素材は耐熱性のある素材で調理に適した毒性のない素材であればステンレス鋼以外でもよく、また、素材の表面に非粘着性や防汚性を備えた無機セラミックコーティング剤等を塗布してもよい。
【００６９】
受皿２７の外周面から一段低い凹部の外周縦面２７ａは、受皿下部３６底面の外周縦面３６ａに気密性良く嵌合・挿入される。挿入された状態では受皿２７上面外周の下面と受皿下部３６外周の上面は概ね面接触となり、外周縦面２７ａと外周縦面３６ａとの間の嵌合との２面で気密性を高めている。また、受皿２７は受皿流出口３０が設けられる上面と受皿下部３６とを分離可能に構成している。これにより、清掃性・メンテナンス性が向上しており、加熱調理時に被加熱物からの油分や汁気が受皿流出口３０に滴下し、さらに受皿流出口３０より受皿下部３６上に落下した場合も、受皿２７の上面と受皿下部３６とを分離することで清掃を容易としており、清掃性・メンテナンス性が向上している。
【００７０】
受皿下部３６の外周面の前側端には下方への突出面と凹部縦面とで係合部３６ｂを形成し、保持部３１の前面側の縦面３１ｂとガタツキ少なく係合される。
【００７１】
調理室扉７を手前側に引き出すと、保持部３１に支持された受皿２７と、受皿２７に保持された調理台２６と、調理台２６に載置された被加熱物とが、一体的にスライドして引き出され、これらは概ね調理室１１の外部に露出することができる。このようにすることで、被加熱物の載置や搬出、調理台２６、受皿２７の着脱を容易にし、調理の作業性、メンテナンス性、清掃性を高めている。
【００７２】
図１０は、実施の形態１に係る調理室１１の受皿流出口３０、スライドレール固定側３７、スライドレール移動側３８を示す上面断面図である。また、図１１は、実施の形態１に係る本体１の側面断面図である。
受皿２７上面の受皿流出口３０は、受皿流入口２９に近い側の開口面積が小さく、受皿流入口２９に遠い側の開口面積が大きくなるように複数形成されている。例えば、受皿流出口３０は円形ノズルにより構成され、受皿流入口２９に近い側の直径が小さく、遠い側の直径が大きくなるように形成されている。このように、受皿流出口３０の開口面積を受皿流入口２９からの距離により可変することで、圧力が高く流出量の多くなる受皿流入口２９に近い側は開口を小さくして流量を抑え、圧力が低く流出量が少なくなる受皿流入口２９から遠い側の流量を増やし、調理台２６上の被加熱物の加熱ムラが軽減されるように設定される。このように、受皿流出口３０からの噴流の流量をコントロールして受皿２７上に載置される被加熱物の加熱ムラを軽減して良好な調理効果・仕上がりを得ている。
【００７３】
なお、本実施の形態においては、円形ノズルの受皿流出口３０としているが、適切な噴流を形成でき、被加熱物に衝突噴流熱伝達をおこなえればこれに限るものではない。例えば、スリット状のノズル等を用いてもよい。
【００７４】
また、本実施の形態においては、受皿２７上面の受皿流出口３０の開口の大きさのみを変更して加熱ムラの軽減をおこなっているが、これに限るものではない。例えば、受皿流出口３０の開口の大きさを略均一として、受皿流入口２９から遠い領域に形成された受皿流出口３０の開口率（配置密度）が、受皿流入口２９に近い領域に形成された受皿流出口３０の開口率（配置密度）より高くなるようにしても良い。また、受皿流出口３０の配置密度と開口の大きさの両方を場所により変更することで加熱ムラを軽減してもよい。
【００７５】
受皿下部３６の受皿流入口２９と調理室１１背面の調理室吹出口２８は、対向する位置にほぼ同形状に設けられている。受皿流入口２９と調理室吹出口２８は、調理室扉７が閉じた状態（加熱調理がおこなわれる状態）においては気密性良く面接触により接続され、ファンケーシング２０からの加熱空気を漏れ少なく受皿２７内の空間に流入させる。一方、ユーザーが調理室扉７を引き出した場合、受皿２７はスライドレール移動側３８の移動により調理室扉７に動作に付帯して移動し、受皿流入口２９と調理室吹出口２８との接続は解除される。
【００７６】
受皿流入口２９と調理室吹出口２８の面接触は、磁力により受皿流入口２９面が調理室吹出口２８に接触する方向に付勢されることでおこなわれる。これは、スライドレール移動側３８の背面側に締結部材で固定された磁石４１が、調理室１１外のスライドレールカバー４２内に固定された磁石４１に近接すると磁力により引力が生じて閉じる方向に引き込まれ、スライドレール移動側３８に保持される受皿下部３６も一体的に引き込まれ調理室背面の調理室吹出口２８と接続される。このとき、調理室扉７の調理室１１内側の気密部材３３も調理室１１外周面と接触するが、気密部材３３の弾性により受皿流入口２９と調理室吹出口２８の接続を阻害することはない。
【００７７】
なお、本実施の形態においては、磁石４１はＵ字型部材を介してスライドレール固定側３７の先端に固定され、調理室扉７が閉じた状態においては、スライドレール移動側３８に取付けられた磁石４１と対向する位置に接触せず・引力が働く位置に配置され、磁石４１間に磁力による引力が発生することで、スライドレール移動側３８は引き込まれ付勢されているが、移動側と固定側の磁石４１の取付・配置は一例であり、これに限るものではない。磁石の斥力を使用してスライドレール移動側３８を押込むよう付勢するようにスライドレール移動側３８の磁石４１をより背面側に配置することや、磁石により直接的に受皿下部３６に引力を与え付勢するなどしてもよく、磁力により付勢され調理室吹出口２８に受皿流入口２９が押し当てられ接続される構成・配置であれば他の構成・配置でも同等の効果は得られる。また、調理室吹出口２８と受皿流入口２９の外周間に気密性を高める部材（耐熱性シール材、フッ素ゴム・スポンジの弾性体等）を挿入してより気密性を高めてもよい。
【００７８】
図１１に示すように、調理室１１の上面及び底面は、側面と同様に二重壁構造となっており、この二重壁の間に断熱空間３５が設けられている。断熱空間３５により、調理室１１からの熱漏洩を抑制して調理室１１内の加熱効率を高めるとともに、熱漏洩による周囲に配置される部品の温度上昇を抑制して冷却効率を高めている。
【００７９】
また、調理室１１と筐体２の調理室収納部１９との間にも、断熱空間３５が設けられ、調理室１１からの熱漏洩を抑制して調理室１１内の加熱効率を高めるとともに、熱漏洩による周囲に配置される部品の温度上昇を抑制して冷却効率を高めている。なお、本実施の形態においては、断熱空間３５において空気層による断熱をおこなう例を示しているが、必要に応じて断熱空間３５にグラスウールや真空断熱材等の断熱材を挿入してもよく、このようにすることで断熱性能を高め、加熱効率や冷却効率を高めることができる。
【００８０】
（誘導加熱調理器の動作）
このように構成された誘導加熱調理器１００においては、操作部６に対して加熱指示操作がおこなわれると、基板ケースユニット１７内の電子回路基板に実装された各種回路により、トッププレート４下方の誘導加熱コイルユニット１８や、調理室１１の上方加熱手段２４、循環気流加熱手段２３、電動機２１等が駆動され、加熱調理がおこなわれる。
【００８１】
次に、調理室１１における加熱調理について説明する。
ユーザーが、表示部９に表示される調理モード、調理メニュー、加熱条件を操作部６により選択・入力すると、設定された調理モードに対応する制御シーケンスが記憶手段より呼び出され、調理のための各加熱手段等の制御がおこなわれる。
【００８２】
魚や肉等の食材を調理台２６に直接載置して加熱する調理モードを例に、加熱調理の制御・動作を説明する。
【００８３】
（１）調理の初期
調理の初期においては、上方加熱手段２４は、調理台２６に載置された被加熱物の上側が、上方加熱手段２４からの輻射により短時間で７０℃程度まで上昇して表層部のタンパク質を凝固させ内部の水分等の揮発を抑制して内部のジューシーさを保持するよう、高い出力に制御される。
【００８４】
上方加熱手段２４による加熱と併せて、電動機２１が駆動され、ターボファン２２が回転動作する。これにより、上方加熱手段２４からの伝熱により加熱された調理室１１内の空気は、調理室吸込口１２からファンケーシング２０内へ吸引され、ターボファン２２からファンケーシング２０内へ送出され、調理室吹出口２８に至る過程に循環気流加熱手段２３の周囲を通過して調理に適した温度に加熱される。加熱された空気は循環気流として調理室吹出口２８から受皿２７内の空間へ受皿流入口２９より流入する。また、ターボファン２２からファンケーシング２０内へ送出された空気の一部は、排気風路接続口４３より調理室排気風路１０へ流入して、触媒体３４を通過する際に空気に含まれる油煙や臭気成分の一部が吸着・分解されたのち、筐体排気口１３から本体１外へ排気される。
【００８５】
受皿２７内の空間へ流入した循環気流は、受皿２７上面に複数設けられた受皿流出口３０より、調理台２６下方から上方に向けて噴き出される。受皿流出口３０はノズルとして機能し、噴流を形成する。
【００８６】
受皿流出口３０より噴出された高温の噴流は、調理台２６の上面（載置面）に載置された被加熱物の下方に衝突する。そして調理室１１内へ拡散しながら流れていく過程で被加熱物に衝突噴流熱伝達をおこない加熱調理をおこなった後、調理室吸込口１２から再度吸引され、筐体排気口１３から排気される一部を除き再び調理室１１内を循環する。
【００８７】
また、本実施の形態においては、受皿流出口３０の開口の大きさを、受皿流入口２９から近い側は小さく遠い側は大きくすることで、圧力が高く流出量の多くなる受皿流入口２９に近い側は開口を小さくして流量を抑え、圧力が低く流出量が少なくなる受皿流入口２９から遠い側の流量を増やし、調理台２６上の被加熱物の加熱ムラが軽減されるように設定される。
【００８８】
被加熱物の下側に対する加熱についても、調理の初期には、急速に表層部の温度を上昇させてタンパク質を凝固させることは被加熱物の上側と同様である。したがって、循環気流加熱手段２３の出力は大きく調理過程における最大出力となるよう制御される。また、電動機２１の回転数も調理過程において最も高くなるよう制御され、ターボファン２２の風量を増加させ、これにより受皿流出口３０から噴出する流速も速まり、被加熱物下側の受熱量も多く急速に加熱・昇温する制御がなされる。
【００８９】
調理の初期における調理室１１内の温度の変化等は、温度センサ３２にて検出され、制御手段に出力される。制御手段は、この温度変化等に基づいて被加熱物の量や初期の温度を算出し、記憶手段に格納されたプログラムに基づいて調理時間等のシーケンスを設定し、以降はそのシーケンスに従って制御する。
【００９０】
（２）調理の中盤
調理の初期における表側部の加熱がおこなわれた後は、調理室内が所定の温度で維持されるように、制御手段は、上方加熱手段２４、循環気流加熱手段２３とも温度センサ３２の出力より比較的低い出力となるよう制御するとともに、ｏｎ／ｏｆｆによる制御もおこなう。このような制御により、調理室１１内の余熱による調理もおこなわれる。また、制御手段は、食材内の水分等の揮発を抑制するため、電動機２１を比較的低い回転数に制御し、また、必要に応じて電動機２１の回転を停止する。
【００９１】
また、制御手段は、電動機２１の回転数を制御してターボファン２２の風量を変化させ、これにより受皿流出口３０からの噴出する気流の流速を変化させることで、調理室１１内の気流の流れを変化させる制御もおこなう。このようにして気流の淀みを移動・変化させることで抑制して、調理室内の温度ムラを軽減することで焼きムラを軽減して調理効果・仕上がりの均一性を高めることができる。
【００９２】
（３）調理の終盤
調理の終盤においては、制御手段は、食材の表面に適切な（美味しそうな）焼き色をつけるとともに表面の水分を揮発させパリッとさせることで、見た目も食味も良好な調理効果・仕上がりとなるよう、上方加熱手段２４の出力を調理の中盤よりも高く制御する。
【００９３】
所定のシーケンスが完了すると、制御手段は、上方加熱手段２４、循環気流加熱手段２３、及び電動機２１を停止させる。加熱動作が停止して調理室扉７のロック解除条件が満たされると、制御手段は、表示部９にて調理完了を報知するとともにブザーや音声による報知もおこない、調理室扉７のロックを解除して調理室扉７の開閉を可能とする。
【００９４】
以上のように本実施の形態においては、筐体の内部に設けられた調理室１１と、調理室１１内の上方に設けられた上方加熱手段２４と、調理室１１内に被加熱物を出し入れするための調理室扉７と、調理室扉７より調理室１１内へ出入自在に配置される受皿２７と、受皿２７の上方に設けられ、被加熱物を載置するための調理台２６と、調理室１１に設けられた調理室吸込口１２及び調理室吹出口２８と、調理室吸込口１２に吸引力を発生させて調理室１１内の空気を吸引し、調理室吸込口１２から吸引した空気を調理室吹出口２８から吹き出させる送風手段を構成する電動機２１、ターボファン２２およびファンケーシング２０と、を備えた。そして、受皿２７は、内部に通風可能な空間が設けられ、調理室１１の調理室吹出口２８と着脱自在に接続され調理室吹出口２８からの空気を内部に流入させる受皿流入口２９と、上面に形成され受皿流入口２９から流入した空気を吹き出す複数の受皿流出口３０とを有する。
このため、被加熱物を受皿２７の受皿流出口３０より下方からの噴流で衝突噴流熱伝達により加熱することができ、加熱効率が高く短時間調理ができエネルギー効率を向上することができる。また、被加熱物からの油脂や汁気が調理室１１底面に落下するのを受皿２７で防止することができ、調理室１１底面の防汚性を向上することができる。また、受皿２７を調理室１１外へ搬出できることから、受皿２７の清掃性・メンテナンス性を向上することができる。したがって、省エネルギーで調理能力が高く清潔で長寿命な環境負荷の低い加熱調理を得ることができる。
【００９５】
また、被加熱物の下方にヒータ等の下方加熱手段を設けなくてよいので、被加熱物からの油脂分が下方加熱手段に加熱されることによる発煙・発火を抑制することができる。また、発煙・発火が抑制されることから、良好な調理効果・仕上がりが得られるとともに安全性の高い加熱調理器を得ることができる。
【００９６】
また、調理台２６と受皿２７との間にヒータ等の下方加熱手段を設けなくてよいために、調理台２６と受皿２７との間の高さ寸法を小さくできるので、調理室１１内において被加熱物を載置するためのスペースをより大きくすることができ、厚みのある被加熱物の調理が可能となり、調理能力の高い加熱調理器を得ることができる。
【００９７】
また、調理室１１の下方にヒータ等の下方加熱手段が無いことから、調理室１１内の下方壁面・底面の清掃時に加熱手段が障害となることがない。また、調理室１１下方に下方加熱手段が無いことで調理室１１内のスペースに余裕ができ、容易に手を挿入して清掃できる。したがって、清掃性・メンテナンス性の良好で清潔性が高く長寿命な加熱調理器を得ることができる。
【００９８】
また本実施の形態においては、受皿流入口２９から遠い位置に形成された受皿流出口３０の開口面積を、受皿流入口２９に近い位置に形成された受皿流出口３０の開口面積より大きくした。または、受皿流入口２９から遠い領域に形成された受皿流出口３０の開口率を、受皿流入口２９に近い領域に形成された受皿流出口３０の開口率より高くした。
このため、受皿流入口２９からの距離による流出量（風量）及び衝突噴流熱伝達により伝熱量の不均一が軽減され、被加熱物の加熱ムラを抑制することから被加熱物全体が比較的均一な加熱調理がおこなわれ、良好な調理効果・仕上がりが得られる加熱調理器を得ることができる
【００９９】
また本実施の形態においては、受皿２７はスライドレール移動側３８を介して調理室扉７と一体的に移動して、調理室扉７が開いた状態において、受皿２７の少なくとも一部は調理室１１外へ引き出され、調理室扉７が閉じた状態において、受皿２７の受皿流入口２９は調理室１１の調理室吹出口２８と通風可能に接続される。
このため、調理室扉７の開閉と調理室吹出口２８と受皿流入口２９の着脱が連動され、ユーザーが調理をおこなうためにダクト等の風路の接続をする必要なく接続ミス等もおこりにくくなり、容易・確実に衝突噴流熱伝達を利用した調理をおこなうことができる。また、調理室扉７が開いた状態においては、受皿２７を調理室吹出口２８から取り外すことや直接調理室１１内から引き出す必要がなく、調理室１１外へ引き出された状態から容易に取り外してシンク等の清掃場所へ移動して、受皿２７で受け止めた油脂や汁気の清掃をおこなうことができる。したがって、調理操作が容易で信頼性が高く、清掃性・メンテナンス性に優れた加熱調理器とすることができる。
【０１００】
また本実施の形態においては、受皿２７は、受皿流入口２９が調理室１１の調理室吹出口２８に向かう方向に、磁力によって付勢されている。具体的には、スライドレールカバー４２内に固定された磁石４１とスライドレール移動側３８に固定された磁石４１との間に働く磁力により、受皿２７の受皿流入口２９が調理室吹出口２８に接触する方向に付勢されている。
このため、調理室吹出口２８と受皿流入口２９との間の接触の気密性が高まりターボファン２２から送出され循環気流加熱手段２３で加熱された空気の漏れが少なく、受皿２７内部の空間に流入して受皿流出口３０より噴出されることで加熱効率を向上することができる。よって、調理時間が短縮でき高い調理能力を備えるとともに省エネルギーで環境負荷の低い加熱調理器を得ることができる。
【０１０１】
また本実施の形態においては、受皿２７は、分離可能な複数の部品から構成され、組立時に複数の部品が概気密に接合される。具体的には、受皿２７を受皿流出口３０が設けた上面と受皿下部３６の二つの部品から構成し、分離できるとともに受皿２７として組立時はその接合部に概気密性を持たせた。
このように受皿２７を分割できる構成としたことで、受皿流出口３０から受皿２７内部に滴下した被加熱物からの油脂や汁気を容易に清掃・メンテナンスすることができる。よって、清潔性が高く長寿命の加熱調理器を得られる。また、組立時に複数の部品が概気密に接合されるため、接合部からの加熱された空気の漏れが少なくなり、受皿２７内部の空間に流入した加熱空気のほとんどは受皿流出口３０より噴出される。よって、加熱効率が高まり、調理時間が短縮でき高い調理能力を備えるとともに省エネルギーで環境負荷の低い加熱調理器を得ることができる。
【０１０２】
また本実施の形態においては、調理室吸込口１２から吸引した空気を調理室吹出口２８へと導く風路上に、循環気流加熱手段２３を備えた。具体的には、送風手段を構成するターボファン２２と調理室吹出口２８の間に循環気流加熱手段２３を備えた。
このように、調理室吸込口１２から吸引した空気を調理室吹出口２８へと導く風路上に循環気流加熱手段２３を設けることで、調理室吹出口２８から吹き出される循環気流はより高温に加熱され、短時間で加熱調理をおこなうことができる。
【０１０３】
また本実施の形態においては、棒状の循環気流加熱手段２３を、調理室吹出口２８の開口面に対して概平行に配置した。
このため、調理室吹出口２８の位置による加熱された空気の温度差を軽減することができ、複数の受皿流出口３０から噴出される加熱空気の温度を比較的均一にすることができ、被加熱物の加熱ムラを抑制することから比較的均一な加熱調理できる。したがって、短時間調理で調理能力が高く省エネルギーで環境負荷が低く、良好な調理効果・仕上がりが得られる加熱調理器を得ることができる。
【０１０４】
また、循環気流加熱手段２３を調理室吹出口２８により近い位置に設けることで、循環気流加熱手段２３により加熱されてから調理室吹出口２８より吹き出されるまでの気流の経路を短くすることができ、熱漏洩や熱ロスを低減することができるとともに、より高い温度の循環気流を吹き出すことで短時間に被加熱物を昇温させ調理時間を短縮することができる。
【０１０５】
また、調理の経過時間と温度センサ３２の出力により、電動機２１を比較的低い回転数に制御し、また、必要に応じて電動機２１の回転を停止することで食材内の水分等の揮発が抑制され、食材のパサつき等が軽減され、良好な調理効果・仕上がりを得ることができる。
【０１０６】
また本実施の形態においては、調理室吸込口１２から吸引した空気を調理室吹出口２８へと導く風路と筐体２の外部とを連通させる調理室排気風路１０と、調理室排気風路１０内であって循環気流加熱手段２３の輻射が届く位置に設けられた触媒体３４とを備えた。
このため、触媒体３４は排気の加熱に加え循環気流加熱手段２３の輻射加熱によりさらに昇温され、触媒活性が高まり加熱調理に伴う排気に含まれる油煙や臭気成分等の汚染物質の酸化分解が促進され浄化性能が高まる。したがって、調理室排気風路１０から外部へと排出される排気の清浄度が増し、快適な調理空間・環境が得られる加熱調理器とすることができる。また、触媒体３４を加熱するための専用の触媒加熱手段が不要となり部品コスト・組立てコストを低減でき安価な加熱調理器を得ることができる。
【０１０７】
また本実施の形態においては、操作部６、表示部９、及び調理室扉７の開閉検知手段を備え、調理室扉７の開閉状態に応じて表示部９による報知をおこなうようにした。より具体的には、操作部６からの動作指示を出した場合に調理室扉７の開閉検知により調理室扉７が開状態であれば加熱調理をおこなわず調理室扉７を閉めるよう表示部９に報知し、また、加熱調理中に調理室扉７の開動作を検知した場合はすべての加熱手段である上方加熱手段２４、循環気流加熱手段２３と送風手段である電動機２１を停止して調理室扉７が開いたため加熱調理を停止したことを表示部９に報知するようにした。
このようにすることで、ユーザーが火傷する等のリスクが軽減できることから、安全性の高い加熱調理器を得ることができる。
【０１０８】
実施の形態２．
本実施の形態２では、実施の形態１における構成の一部を変更した例を説明する。本実施の形態では、実施の形態１との相違点を中心に、図１２〜図１８を参照して説明する。なお、本実施の形態２の誘導加熱調理器は、図１、図２で示す構成については実施の形態１と同様である。
【０１０９】
図１２は、実施の形態２に係る調理室１１の斜視図である。また、図１３は、実施の形態２に係る調理室１１の調理室上壁２５を取り外した状態の背面側斜視図である。
実施の形態２においては、調理室排気風路１０はファンケーシング２０の上方に配置されファンケーシング２０内部と調理室排気風路１０は連通している。
【０１１０】
本実施の形態２における上方加熱手段２４の形状は、調理室１１背面に貫通して配置される端子部が右側面に寄った形状であり、調理室１１内側の加熱手段背面側３９が左端子側のみに設けられ、調理室１１背面と概平行に概水平に配置されており、幅方向に分割されず上方加熱手段２４の幅方向に近い幅となっている。なお、本実施の形態においては、右側端に端子を寄せているが左側端に寄せてもよく、加熱手段背面側３９の幅が上方加熱手段２４に近い幅となる形状であれば同様の効果は得られる。
【０１１１】
上記実施の形態１においては、調理室吸込口１２は調理室１１背面壁に設けられていたが、本実施の形態２においては、ガイド部４６の上端面と調理室１１背面壁とからなる少なくとも上方に開口をもつ調理室吸込口１２を形成している。また、調理室吸込口１２の開口は上方加熱手段２４の加熱手段背面側３９の近傍に配置されている。このような配置により、調理室１１内の循環気流は、加熱手段背面側３９の近傍を通過してから、調理室吸込口１２に流入する。ガイド部４６により循環気流の流入範囲の位置(高さ)を加熱手段背面側３９を含む範囲とするとともに流入範囲が規制され流速速く加熱手段背面側３９に接触することで、循環気流は、加熱手段背面側３９により加熱効率が高く昇温され、調理室吸込口１２内に流入する。なお、本実施の形態では調理室吸込口１２の開口が調理室１１の上面に向くように形成されているがこれに限るものではなく、調理室吸込口１２の開口が調理室１１の中央より上に配置されていれば同様の効果は得られる。なお、ガイド部４６は本発明における「吸込口体」に相当する。また、調理室吸込口１２は本発明における「吸込口体の開口部」に相当する。
【０１１２】
調理室吸込口１２内には、触媒体３４が配置されており、この触媒体３４は上方加熱手段２４からの輻射により加熱される。これにより、触媒体３４に添着される酸化触媒は触媒活性され、流入した調理室１１内の空気に含まれる油煙や臭気成分等の汚染物質の一部を吸着して酸化分解をおこない浄化する。調理室吸込口１２内には、上方加熱手段２４からの輻射が直接届く位置に触媒体３４が配置されている。この触媒体３４は、上方加熱手段２４からの輻射と、加熱手段背面側３９の近傍を流速速く通過して加熱され調理室吸込口１２から吸込まれた空気からの伝熱により昇温される。そして、触媒体３４に添着された白金やパラジム等の触媒の触媒活性により、吸込む空気に含まれる油煙や臭気成分の一部を吸着して酸化分解をおこない浄化する。調理室１１内の空気の一部は調理室排気風路１０から排気される一部の空気を除いて循環しており、調理室１１内の空気は循環しながら何度も触媒体３４を通過することで浄化率が高まる。このため、実施の形態１における構成（調理室１１からの排気が一度だけ触媒体３４を通過する構成）と比較して、調理室１１内や調理室排気風路１０からの排気の浄化率は高い傾向にある。また、触媒体３４で汚染物質が酸化分解される化学反応の過程において反応熱が発生する。この熱は通過する気流を更に加熱して高温の循環気流として調理室吹出口２８から受皿２７に流入して受皿流出口３０より被加熱物に噴出され加熱調理に利用され加熱効率を高めている。また、触媒体３４を上方加熱手段２４で加熱することから、触媒体３４を加熱するための専用の触媒加熱手段が不要となり部品コスト・組立てコストが低減され安価な加熱調理器とすることができるとともに触媒加熱に必要なエネルギーが不要となり省エネルギーで環境負荷の低い加熱調理器とすることができる。なお、実施の形態２における触媒体３４は本発明における「第一触媒体」に相当する。
【０１１３】
ファンケーシング２０の背面に電動機２１を配置してその回転軸はファンケーシング２０内のターボファン２２に固定され回転軸が回転することで遠心送風機として機能することは実施の形態１と同様である。
【０１１４】
図１４は、実施の形態２に係る調理室１１の調理室上壁２５、上方加熱手段２４、調理室扉７に付帯する部品、スライドレールカバー４２を取り外した前面側斜視図である。
調理室１１の両側面の断熱空間３５を設け、調理室１１内からの熱漏洩を低減して加熱効率を高めるとともに、周囲の部品の温度上昇を抑制して冷却効率を高めているのは実施の形態１と同様である。
【０１１５】
ガイド部４６と触媒体３４で囲われた内側の調理室１１背面には、ファンケーシング２０と連通し送風手段に空気を吸い込むための吸込口が設けられている。吸込口は概円形で吸込口の外周部はＲ面が形成してベルマウス形状とすることで、ターボファン２２への吸込を良好として送風効率を向上させるとともに送風機騒音を低減している。
【０１１６】
ファンケーシング２０内の調理室吹出口２８側面には整流部４４が設けられており、調理室吹出口２８から受皿２７へ流入する気流を整流しながら流入させる。これにより、受皿２７内での渦の発生が軽減され圧力損失が低減され送風機負荷を低減するとともに、受皿流出口３０から噴出される噴流を乱れ少なく形成して衝突噴流熱伝達を良好として加熱効率を高めている。整流部４４は調理室１１背面に調理室吹出口２８を形成する際に調理室１１背面を切り起こすことで調理室１１背面と一体的に形成されている。これにより、部品コスト・組立コストが不要となり安価な加熱調理器とすることができる。
【０１１７】
図１５は、実施の形態２に係る調理室扉７と付帯部品を調理室１１から引き出して取り外した状態の斜視図である。
保持部３１の前面側と背面側の形状は、受皿２７及び受皿下部３６がガタツキ少なく安定して保持されるよう、受皿２７及び受皿下部３６の形状に合わせた形状としている。
【０１１８】
受皿２７上面の各受皿流出口３０の開口面積は概ね同一であり、上面における配置・分布もほぼ均一となっている。受皿２７上面の受皿流出口３０は上方に凸形状の円形ノズルとして機能して加熱された空気を噴流として送出する。受皿流出口３０を凸形状とすることで、受皿２７上面に滴下した油脂や汁気が受皿流出口３０に流入するのを抑制している。
【０１１９】
図１６は、実施の形態２に係る受皿２７を示す分解斜視図である。
本実施の形態２における受皿下部３６の底面は、受皿流入口２９側（背面側）の一部に概水平の水平面３６ｃが形成され、受皿流入口２９から遠い側（前面側）の高さが高くなる傾斜面３６ｄが形成されている。これにより、受皿２７の上面と受皿下部３６との間の空間が受皿流入口２９に近い側よりも遠い側で狭くなる。このように受皿流入口２９からの流路断面を変化させることで各受皿流出口３０からの流出量を調整・設定することができ、被加熱物の加熱ムラを軽減して良好な調理効果・仕上がりを得るとともに、前面側が高くなる面とすることで背面側から前面側に流れる気流に上方向に向かう流れの成分を持たせ、受皿流出口３０から上方に噴出す噴流の形成を良好として加熱効率を高めている。なお、受皿２７が上面と受皿下部３６で構成され組立・分解ができ接合部が概気密であることは実施の形態１と同様である。
【０１２０】
なお、本実施の形態においては、受皿２７上面の受皿流出口３０の開口の大きさ・配置・分布をほぼ均一にし、受皿下部３６の底面を傾斜させることで加熱ムラの軽減をおこなっているが、これに限るものではない。例えば、上記実施の形態１で説明した受皿流出口３０の開口面積の大きさの変更、受皿流出口３０の開口率（配置密度）の変更の一方または両方と、受皿下部３６の底面の傾斜とを組み合わせて、受皿流出口３０からの噴流の流量をコントロールして受皿２７上に載置される被加熱物の加熱ムラを軽減するようにしても良い。
【０１２１】
図１７は、実施の形態２に係る調理室１１の受皿流出口３０、スライドレール固定側３７、スライドレール移動側３８を示す上面断面図である。
整流部４４は概ねファンケーシング２０の奥行に近い寸法でファンケーシング２０背面側から調理室１１背面の間に渡って形成される。なお、本実施の形態においては、整流部４４は調理室１１側面と並行な平面形状であるが、必要に応じて受皿２７内の空間の気流分布や各受皿流出口３０の流量の制御・調整のため傾斜平面や曲面としてもよい。
【０１２２】
磁石４１によるスライドレール移動側３８の動作や調理室吹出口２８への受皿流入口２９の付勢する構成・動作は実施の形態１と同様である。
【０１２３】
図１８は、実施の形態２に係る本体１の側面断面図である。
ファンケーシング２０上部には排気風路接続口４３が設けられ、調理室排気風路１０と接続され、ターボファン２２が吸引して送出した調理室１１内の空気の一部が調理室排気風路１０へ流入して本体１外へ排気される。
【０１２４】
受皿下部３６の水平面３６ｃおよび傾斜面３６ｄの一部には水４８が貯水可能である。この水４８は、ユーザーの選択により、過熱水蒸気を利用した加熱調理をおこなう場合に調理前にユーザーが所定量の水を受皿２７内に注水するものである。水を貯水しない場合は通常の加熱調理がおこなわれ、表示部９の表示に従い操作部６よりユーザーが選択・入力をおこない調理動作の指示をおこなう。調理動作中においては操作部６からの動作指示に応じた制御シーケンスにより温度センサ３２等の検知手段により水４８の有無を検知して調理制御がおこなわれる。
【０１２５】
受皿下部３６は、背面側が低く前面側が高い面形状であるため、水４８は背面側に貯水される。受皿下部３６の背面には受皿流入口２９が設けられており、循環気流加熱手段２３で加熱されたばかりの高温の空気が流入することで、水４８の加熱・気化が促進される。これにより、過熱水蒸気による加熱が有効な被加熱物の表面温度が１００℃未満である調理初期の水蒸気発生量を高めることで調理時間を短縮できるとともに、調理の中盤以降は貯水された水４８は蒸発して無くなり、調理室１１内の排気により過剰な水蒸気は排気され通常の加熱調理となり、被加熱物の表面をパリッと香ばしく調理することができ、良好な調理効果・仕上がりを得ることができる。
【０１２６】
実施の形態２の調理室１１の加熱調理における動作は、基本的に実施の形態１と同様であるが、以下のように、調理室１１内部の空気の流れと触媒体３４の動作・効果が異なる。
【０１２７】
実施の形態２においては、ガイド部４６に触媒体３４を配置して送風手段であるターボファン２２に吸引される前に触媒体３４で吸引される空気に含まれる油煙や臭気成分等の汚染物質の一部を吸着・浄化している。これにより、ターボファン２２や循環気流加熱手段２３、ファンケーシング２０内部、受皿２７内部などの油煙や臭気成分の付着が軽減され耐久性・清潔性が向上する。
【０１２８】
また、調理室１１内部の空気を浄化しながら循環させることで、少ない換気量（調理室排気風路１０からの排気風量）で調理室１１内の空気の清浄度を良好とすることができ、被加熱物への汚染成分の付着を軽減して良好な調理効果・仕上がりを得られるとともに、排気風量を少なくすることで排熱も減少し加熱効率が向上して調理時間を短縮でき調理性能が向上するとともに省エネルギーで環境負荷を低減できる。また、触媒体３４での酸化分解による反応熱も加熱調理に寄与することから、さらに加熱効率が向上して調理時間を短縮でき調理性能が向上するとともに省エネルギーで環境負荷を低減できる。また、排気も循環しながら触媒体３４で浄化した調理室１１内空気の一部を排気することから、より清浄度の高い排気となり、より良好な快適な調理作業空間・環境を得ることができる。
【０１２９】
調理に伴う操作・動作は、操作部６の操作により、表示部９に表示される調理モード、調理メニュー、加熱条件を選択・入力することで、設定された調理モードに対応する制御シーケンスが記憶手段より呼び出され調理のための各加熱手段等の制御がなされ加熱調理がおこなわれることは基本的には実施の形態１と同様である。
【０１３０】
なお、実施の形態２では過熱水蒸気調理により良好な調理効果が得られる動作を説明したが、上述した実施の形態１についても同様に、受皿２７内に水を貯水して過熱水蒸気調理の調理メニュー・制御を行うようにしても良く、同様の効果を得ることができる。
【０１３１】
以上のように本実施の形態においては、受皿２７の受皿下部３６は、受皿流入口２９に近い側よりも遠い側が高くなるように形成され、受皿２７の上面との間の空間が、受皿流入口２９に近い側よりも遠い側で狭くなるようにした。
このため、各受皿流出口３０からの流出量を適切に調整・設定でき被加熱物への伝熱量の不均一を軽減でき、被加熱物の加熱ムラが抑制され、良好な調理効果・仕上がりを得られる加熱調理器を得ることができる。また、受皿２７の受皿下部３６の底面の形状により受皿２７内部の空間の気流に上向きの流速成分を付与でき、受皿流出口３０から上方へ噴き出される噴流を良好に形成でき被加熱物への衝突噴流熱伝達を向上することができ加熱効率が向上して短時間調理ができるとともに省エネルギーで環境負荷の低い加熱調理器とすることがきる。
【０１３２】
また、過熱水蒸気調理に用いる水４８は受皿下部３６の受皿流入口２９側に貯水されることから、より高温の加熱空気と接触することで効率良く気化され調理初期に多くの水蒸気を発生させることができ、良好な過熱水蒸気調理効果と短時間調理が可能な加熱調理器を得ることができる。
【０１３３】
また本実施の形態においては、調理室１１内の空気を流入させる調理室吸込口１２は調理室１１背面とガイド部４６より形成され、調理室吸込口１２を調理室１１の中央より上に配置している。
このため、調理室１１上方から空気を吸引することで、下方の受皿２７上面の受皿流出口３０から噴出される噴流の形成への影響を軽減して衝突噴流熱伝達を向上させるとともに、調理室１１内部全体の気流の循環が良好におこなわれ淀みの発生が軽減されることから調理室１１内の温度ムラや汚染物の滞留が軽減され、被加熱物の加熱効率が向上して短時間調理や省エネルギーになるとともに、加熱ムラや煙や臭気の付着が軽減され、良好な調理効果が得られる。
【０１３４】
また本実施の形態においては、調理室吸込口１２の内部であって、上方加熱手段２４の輻射が届く位置に触媒体３４を設けた。
このため、触媒体３４を加熱するための専用の触媒加熱手段が不要となり、部品コスト・組立てコストが低減され安価な加熱調理器とすることができる。また、送風手段より下流の循環気流通過部分に触媒体３４で浄化された空気が流れることで、汚れや臭気の付着が軽減され長寿命の加熱調理器とすることができる。また、調理室１１内の空気が循環しながら浄化されることで煙や油煙による被加熱物への着色や臭い移りが軽減され、良好な調理効果が得られる。また、排気の清浄度が向上しユーザーの調理作業環境が向上する効果がある。また、調理室１１内の空気の清浄度が高まることから排気風量を少なくでき排熱が減少すること、触媒体３４が酸化分解する過程の反応熱を加熱調理に使用でき加熱効率が向上し短時間調理をおこなえるとともに省エネルギーの加熱調理器を得ることができる。
【０１３５】
また本実施の形態においては、調理室吸込口１２から吸引した空気を整流して調理室吹出口２８へと導く整流部４４を備え、整流部４４は調理室１１壁面と一体的に形成した。具体的には、送風手段を構成するターボファン２２と調理室吹出口２８の間に、調理室１１壁面を切り起こして整流部４４を形成した。
このため、調理室吹出口２８から受皿２７へ流入する気流を整流しながら流入させることができ、受皿２７内の気流が整流され、受皿流出口３０からの噴流が良好に形成され加熱効率が向上し短時間調理ができ省エネルギーな加熱調理器を得ることができる。また、整流部４４の部品が不要となり部品コスト・組立コストが軽減され安価な加熱調理器を得ることができる。
【０１３６】
実施の形態３．
本実施の形態３では、実施の形態２における構成の一部を変更した例を説明する。本実施の形態では、実施の形態２との相違点を中心に、図１９〜図２６を参照して説明する。なお、本実施の形態３の誘導加熱調理器は、図１、図２で示す構成については実施の形態１と同様である。
【０１３７】
図１９は、実施の形態３に係る調理室１１の斜視図である。また、図２０は、実施の形態３に係る調理室１１の調理室上壁２５を取り外した状態の背面側斜視図である。
実施の形態２では、調理室排気風路１０はファンケーシング２０の上方に配置されていたが、実施の形態３においては、調理室排気風路１０はファンケーシング２０の下方に配置されている。
【０１３８】
実施の形態２では、ガイド部４６は調理室１１の背面の一部を覆う形態であったが、実施の形態３においては、左右側面間にわたり背面と上面の一部を覆う形態となっている。ガイド部４６と調理室１１内面で形成する調理室吸込口１２は、上方加熱手段２４の周囲を切欠いた形状の開口で構成されており、調理室１１上方の上方加熱手段２４近傍から調理室１１内の空気を吸引している。すなわち、ガイド部４６の開口により形成される調理室吸込口１２は、調理室１１の高さ方向の投影形状が、上方加熱手段２４の高さ方向の投影形状と重なるように形成されており、調理室吸込口１２は、上方加熱手段２４の近傍に配置されている。なお、本実施の形態におけるガイド部４６は本発明における「吸込口体」に相当する。また、調理室吸込口１２は本発明における「吸込口体の開口部」に相当する。
【０１３９】
上方加熱手段２４は調理台２６に載置される被加熱物の上方の加熱ムラが軽減されるように調理室１１上方に比較的等分布に配置されており、上方加熱手段２４の周囲より吸引することで、上方全体よりバランス良く分散され吸引される。また、ガイド部４６と上方加熱手段２４と近接させ、ガイド部４６と調理室１１上面とで風路を形成することで、調理室１１内の有効調理高さを低くすることなく風路を形成することができる。つまり、ガイド部４６を設けても調理室１１内に被加熱物を載置するためのスペースが減少することなく、厚みのある被加熱物の調理が可能であり、調理能力の高い加熱調理器を得ることができる。
【０１４０】
図２１は、実施の形態３に係る調理室１１の調理室上壁２５、上方加熱手段２４、調理室扉７に付帯する部品、スライドレールカバー４２を取り外した状態の斜視図である。
調理室１１の両側面の断熱空間には、グラスウール等の加熱調理に耐える耐熱性のある断熱材４０が挿入されており、実施の形態２の断熱空間３５に空気層を設けて断熱する場合より高い断熱性があり、熱漏洩が低減され加熱効率が高まるとともに、冷却負荷が軽減され冷却ファンの騒音を低減している。
また、整流部４４は実施の形態２と同様に調理室背面より形成される。
【０１４１】
図２２は、実施の形態３に係るファンケーシング２０と付帯する部品の斜視図である。
実施の形態３においては、送風手段を構成するターボファン２２と循環気流加熱手段２３の間に触媒体３４が配置されている。触媒体３４は循環気流加熱手段２３で加熱され触媒活性により、循環気流中の油煙や臭気成分等の汚染物質を吸着・分解する。これにより、触媒体３４を加熱するための加熱手段が不要となり、部品コスト・組立コストが低減され安価な加熱調理器とすることができる。また、触媒加熱手段が消費する電力が不要となることや触媒体３４での反応熱を加熱調理に利用できることや調理室１１内の空気の清浄度が上がり排気が風量を低減でき排熱を減らせることなどから省エネルギーとなり環境負荷の低い加熱調理器とすることができる。
【０１４２】
また、触媒体の浄化により風下の循環気流加熱手段２３への油煙や臭気の付着が軽減され部品の寿命が延びるとともに、被加熱物への付着も軽減され、良好な調理効果・仕上がりを得られる。また、触媒体３４の各部の圧力損失が概ね均一であることから整流効果が生じ触媒体３４下流の流速分布の不均一が軽減され、循環気流加熱手段を通過後の位置による温度差が減少し、受皿流出口３０間に温度差が低下され被加熱物の加熱ムラが軽減され、良好な調理効果・仕上がりが得られる。なお、実施の形態３における触媒体３４は本発明における「第二触媒体」に相当する。
【０１４３】
循環気流加熱手段２３には、循環気流加熱手段２３が貫通するようにして配置された複数のフィン４５が設けられている。このフィン４５は、循環気流の加熱効率を高めるとともに、整流部４４と同様の働きで調理室吹出口２８からの流れをさらに乱れ少なくすることにより、受皿流出口３０からの噴流の乱れも軽減されより高い熱伝達・加熱効率とすることができる。また、整流手段を循環気流加熱手段２３のフィン４５としたことで整流のための部品が不要となり、部品コスト・組立コストを低減でき安価な加熱調理器とすることができる。なお、本実施の形態においては、循環気流加熱手段２３とフィン４５は一体化されているが、フィン４５を整流部として独立した部品として設けてもよく、一体化しないことでフィン形状に自由度が高まり、より高い整流効果を得ることもできる。
【０１４４】
図２３は、実施の形態３に係る調理室扉７と付帯部品を調理室１１から引き出して取り外した状態の斜視図である。
保持部３１の前面側と背面側の形状は、受皿２７及び受皿下部３６がガタツキ少なく安定して保持されるよう、受皿２７及び受皿下部３６の形状に合わせた形状としている。受皿２７上面の受皿流出口３０は上方に凸形状の円形ノズルとして機能して加熱された空気を噴流として送出する。受皿流出口３０を凸形状とすることで、受皿２７上面に滴下した油脂や汁気が受皿流出口３０に流入するのを抑制している。
【０１４５】
図２４は、実施の形態３に係る受皿２７を示す分解斜視図である。
実施の形態３における受皿下部３６の底面は概水平な面で形成されている。受皿流入口２９側（背面側）には、受皿流入口２９が設けられている。また、受皿２７の上面の受皿流出口３０が配置される面は受皿流入口２９から遠い側（前面側）が低くなる面で形成されている。詳細は後述する。なお、受皿２７が上面と受皿下部３６で構成され組立・分解ができ接合部が概気密であることは実施の形態１、２と同様である。
【０１４６】
図２５は、実施の形態３に係る調理室１１の受皿流出口３０、スライドレール固定側３７、スライドレール移動側３８を示す上面断面図である。
受皿２７上面の各受皿流出口３０の開口面積は概ね同一であり、上面における配置・分布もほぼ均一となっている。なお、磁石４１によるスライドレール移動側３８の動作や調理室吹出口２８への受皿流入口２９の付勢する構成・動作は実施の形態１、２と同様である。
【０１４７】
図２６は、実施の形態３に係る本体１の側面断面図である。
ファンケーシング２０の背面には排気風路接続口４３が設けられ、調理室排気風路１０が接続されている。調理室排気風路１０内には触媒体３４が配置されている。触媒体３４は通過する排気の熱に加えて循環気流加熱手段２３からの輻射により加熱されることでより高い温度となり、反応速度が速くなり触媒活性が高まり、排気の浄化をより高めている。なお、実施の形態３における触媒体３４は本発明における「第二触媒体」に相当する。
【０１４８】
受皿２７の上面の受皿流出口３０が配置される面は、受皿流入口２９から遠い側（前面側）が低くなる傾斜面で形成されている。これにより、受皿下部３６の底面と受皿２７の上面との間の空間が、受皿流入口２９に近い側よりも、受皿流入口２９に遠い側で狭くなる。このように受皿流入口２９からの流路断面を変化させることで各受皿流出口３０からの流出量を調整・設定することで被加熱物下方の加熱ムラを軽減し良好な調理効果を得ている。
【０１４９】
なお、実施の形態３では受皿流出口３０の配置面の形状により受皿流出口３０からの噴流による加熱を調整しているが、実施の形態１のように受皿流出口３０の流路断面の面積を変更することや、実施の形態２のように受皿下部３６の底面の形状を変化させることを組み合わせて、各受皿流出口３０からの噴流による加熱を調整・設定してもよい。また、本実施の形態においては、受皿２７の上面の受皿流出口３０の配置面は概ね直線的に前側が低くなる面としているがこれに限るものではなく、前側が低くなる形状であれば曲面でも概ね同様な効果が得られ、各受皿流出口３０からの噴流による加熱が等しくなるように傾斜や曲率を変更してもよい。
【０１５０】
また、受皿２７の上面の受皿流出口３０が配置される面は前側が低くなる面で形成したことにより、被加熱物から滴下した油脂・汁気は前面側へ流れ溜まることから、受皿流入口２９から遠い側である前側は受皿２７内部空間を流れる気流の温度や風速が低くなることなどからの油脂・汁気の加熱が軽減され油脂・汁気の気化が抑制され煙や臭気成分の発生が低減される。
【０１５１】
調理室排気風路１０内の触媒体３４は、循環気流加熱手段２３からの輻射が遮られることなく到達する位置に配置され輻射と排気の排熱により加熱され、触媒体３４を加熱する専用の加熱手段を備えなくても触媒体３４は触媒活性が得られ排気に含まれる汚染物質の吸着・分解をおこなう。
【０１５２】
実施の形態３の調理室１１における気流の流れは以下のようになる。
【０１５３】
電動機２１が駆動され、ターボファン２２が回転動作する。これにより、調理室１１内の空気は、ガイド部４６と調理室１１上面とで形成される調理室吸込口１２より調理室上方より分散吸気され、ガイド部４６と調理室１１上面とで形成される風路を通過して調理室１１背面に設けられた送風手段の吸込口からターボファン２２へ流入する。送風手段の吸込口は概円形で外周はＲ面でベルマウス形状が形成されターボファン２２への吸込みを良好とし送風機効率を上げ、送風機騒音を低減している。
【０１５４】
ターボファン２２からファンケーシング２０内に送出された空気は触媒体３４で流速分布の不均一が改善されるよう整流され、触媒体３４で浄化されるとともに反応熱で加熱される。
【０１５５】
触媒体３４を通過した空気は、循環気流加熱手段２３で更に加熱されるとともに、フィン４５により側面と並行に流れる気流に整流され、整流部４４を通過することで更に乱れを低減される。この後、一部は排気風路接続口４３より調理室排気風路１０に流入して触媒体３４にて更に空気を浄化した後、筐体排気口１３より本体１外へ排気される。多くの空気は受皿流入口２９より受皿２７内に流入して受皿流出口３０より、受皿２７に載置される被加熱物の下方へ噴流として噴き出される。噴き出された噴流は被加熱物の下方に衝突して衝突噴流熱伝達により被加熱物を加熱調理する。その後、再び上方の調理室吸込口１２より分散吸気される。
【０１５６】
以上のように本実施の形態においては、受皿２７の上面は、受皿流入口２９に近い側よりも遠い側が低くなるように形成され、受皿２７の底面との間の空間が、受皿流入口２９に近い側よりも遠い側で狭くなるようにした。
このため、各受皿流出口３０からの流出量を適切に調整・設定でき被加熱物への伝熱量の不均一を軽減でき、被加熱物の加熱ムラが抑制され、良好な調理効果・仕上がりを得られる加熱調理器を得ることができる。また、受皿流入口２９から遠い側に油脂・汁気が溜まることで油脂・汁気の気化が抑制され煙や臭気成分の発生が低減されることから、良好な調理作業空間・環境を提供する加熱調理器を得ることができる。
【０１５７】
また本実施の形態においては、調理室吸込口１２の少なくとも一部は、調理室１１の高さ方向の投影形状が、上方加熱手段２４の高さ方向の投影形状と重なるように形成され、調理室吸込口１２は、上方加熱手段２４の近傍に配置している。
このため、調理室１１内の空気の吸気が分散吸気となり、吸込流速が低下することで噴流の形成を阻害する気流を軽減するとともに、前面側から背面側に向かう気流が抑制され下から上へ流れる循環気流が調理室１１内空間に形成され、良好な噴流を形成するとともに、淀みが軽減される。よって、加熱効率が向上するとともに温度ムラや油煙や臭気成分の滞留が軽減され、短時間調理と省エネルギー、良好な調理効果・仕上がりを得られる加熱調理器とすることができる。
【０１５８】
なお、本実施の形態においてはガイド部４６を切欠いて調理室吸込口１２としたがガイド部４６をフラットヒータ等の平面状の発熱体として分散吸気をするように複数の調理室吸込口１２を分散して設けることでも同様な効果を得られる。
【０１５９】
また本実施の形態においては、調理室吸込口１２から吸引した空気を調理室吹出口２８へと導く風路上であって、循環気流加熱手段２３の輻射が届く位置に触媒体３４を設けた。
このため、循環気流中の油煙や臭気成分等の汚染物質を吸着・分解することで良好な調理効果・仕上がり、快適な調理環境が得られるとともに反応熱による加熱・排気風量の低減により短時間調理ができ省エネルギーな加熱調理器を得ることができる。また、触媒加熱用の加熱手段が不要となり、安価で省エネルギーな加熱調理器とすることができる。また、整流効果により加熱ムラが軽減され、良好な調理効果・仕上がりが得られる。また、排気の清浄度が上がるとともに低コストにでき良好な調理作業環境・空間が得られるとともに安価な加熱調理器とすることができる。
【０１６０】
また本実施の形態においては、調理室吸込口１２から吸引した空気を整流して調理室吹出口２８へと導く整流部４４を備え、整流部４４は循環気流加熱手段２３のフィン４５（放熱フィン）により構成した。
このため、調理室吹出口２８から受皿２７へ流入する気流を整流しながら流入させることができ、受皿２７内の気流が整流され、受皿流出口３０からの噴流が良好に形成され加熱効率が向上し短時間調理ができ省エネルギーな加熱調理器を得ることができる。また、循環気流加熱手段２３のフィン４５により整流手段を構成するため、整流部材が不要となり部品コスト・組立コストが軽減され安価な加熱調理器を得ることができる。
【符号の説明】
【０１６１】
１  本体、２  筐体、３  筐体上面、４  トッププレート、５  吸排気口カバー、６  操作部、７  調理室扉、８  載置部、９  表示部、１０  調理室排気風路、１１  調理室、１２  調理室吸込口、１３  筐体排気口、１４  筐体吸気口、１５  冷却風排気風路、１６  チャンバ、１７  基板ケースユニット、１８  誘導加熱コイルユニット、１９  調理室収納部、２０  ファンケーシング、２１  電動機、２２  ターボファン、２３  循環気流加熱手段、２４  上方加熱手段、２５  調理室上壁、２６  調理台、２７  受皿、２７ａ  外周縦面、２８  調理室吹出口、２９  受皿流入口、３０  受皿流出口、３１  保持部、３１ａ  垂直面、３１ｂ  縦面、３２  温度センサ、３３  気密部材、３４  触媒体、３５  断熱空間、３６  受皿下部、３６ａ  外周縦面、３６ｂ  係合部、３６ｃ  水平面、３６ｄ  傾斜面、３７  スライドレール固定側、３８  スライドレール移動側、３９  加熱手段背面側、４０  断熱材、４１  磁石、４２  スライドレールカバー、４３  排気風路接続口、４４  整流部、４５  フィン、４６  ガイド部、４８  水、１００  誘導加熱調理器。
【図１】
0005890142.tif 000002
【図２】
0005890142.tif 000003
【図３】
0005890142.tif 000004
【図４】
0005890142.tif 000005
【図５】
0005890142.tif 000006
【図６】
0005890142.tif 000007
【図７】
0005890142.tif 000008
【図８】
0005890142.tif 000009
【図９】
0005890142.tif 000010
【図１０】
0005890142.tif 000011
【図１１】
0005890142.tif 000012
【図１２】
0005890142.tif 000013
【図１３】
0005890142.tif 000014
【図１４】
0005890142.tif 000015
【図１５】
0005890142.tif 000016
【図１６】
0005890142.tif 000017
【図１７】
0005890142.tif 000018
【図１８】
0005890142.tif 000019
【図１９】
0005890142.tif 000020
【図２０】
0005890142.tif 000021
【図２１】
0005890142.tif 000022
【図２２】
0005890142.tif 000023
【図２３】
0005890142.tif 000024
【図２４】
0005890142.tif 000025
【図２５】
0005890142.tif 000026
【図２６】
0005890142.tif 000027